(57)【要約】【課題】騒音や振動の発生を抑えた状態でコンクリート部材の表面に固定されたタイル等の仕上げ材を簡易に撤去することを可能とした表層部除去方法を提案する。【解決手段】床版２の表面にモルタル３２を介して貼着されたタイル３１を撤去する表層部除去方法であって、タイル３１の表面から、床版２とモルタル３２との境界面に至る注入孔４を形成する削孔工程と、注入孔４から境界面にｐＨ３〜５の酸性溶液からなる剥離剤５を注入する注入工程と、タイル３１およびモルタル３２を床版２から撤去する撤去工程とを備えている。【選択図】図２
2020125663.tif 000002
【特許請求の範囲】
【請求項１】
コンクリート部材の表面にセメント系材料を打ち継ぐことにより固定された表層部を撤去する表層部除去方法であって、
前記表層部の表面から、前記コンクリート部材と前記表層部との境界面に至る注入孔を形成する削孔工程と、
前記注入孔から前記境界面に酸性溶液からなる剥離剤を注入する注入工程と、
前記表層部を前記コンクリート部材から撤去する撤去工程と、を備えていることを特徴とする表層部除去方法。
【請求項２】
前記剥離剤は、有機カルボン酸と増粘剤とを含む液体であることを特徴とする請求項１に記載の表層部除去方法。
【請求項３】
前記撤去工程では、前記表層部にアンカーを設置した後、当該アンカーを利用して吊り上げることにより前記表層部を前記境界面から引き剥がすことを特徴とする請求項１または請求項２に記載の表層部除去方法。
【請求項４】
前記撤去工程では、前記表層部をカッターにより切断して複数に分割することを特徴とする請求項１乃至請求項３のいずれか１項に記載の表層部除去方法。
【発明の詳細な説明】
【技術分野】
【０００１】
本発明は、表層部除去方法に関する。
【背景技術】
【０００２】
住宅のリフォームなどにおいて、既存のタイルや床材等、床面や壁面の表面を覆う仕上げ材（表層）を撤去する場合がある。このような仕上げ材の撤去方法として、ブレーカーやチッパー等の工具を使用して、仕上げ材およびモルタル等の接着材を斫り取る方法が知られている。
【０００３】
ところが、ブレーカーやチッパー等は、対象物（仕上げ材やモルタル等）を打撃することにより破砕する方法であるため、大きな音や振動が生じるとともに、粉塵等が周囲に飛散する。そのため、供用中の集合住宅や、住宅街などにおいて工具を利用して仕上げ材の撤去作業を行うと、近隣住民へ影響を及ぼすおそれがある。
【０００４】
そのため、特許文献１には、低振動、低騒音の除去方法として、撤去対象範囲の周囲を囲むように溝又は孔を形成するとともに、この撤去対象範囲内に荷重付与孔を形成した後、この荷重付与孔を利用して、撤去対象範囲に対して引き剥がす方向への荷重を付与することで、コンクリート部材から表層部分を引き剥がす方法が開示されている。
【０００５】
また、特許文献２には、振動音を発生せずに、粉塵を飛散させることなくタイルのみを剥離させる方法として、タイルがモルタル等を介して貼着されたコンクリート部材に対して、コンクリート部材の表面に沿って水平カッターを移動させることにより、コンクリート部材の表面からタイルを剥離させる方法が開示されている。
【先行技術文献】
【特許文献】
【０００６】
【特許文献１】特開２０１０−２１６１６０号公報
【特許文献２】特開２０１２−００７４６３号公報
【発明の概要】
【発明が解決しようとする課題】
【０００７】
特許文献１の除去方法は、対象物を打撃することなく、引張力を付与して引き剥がすため、騒音や振動が小さいものの、コンクリート部材に密着した表層部を引き剥がすのは容易ではない。また、特許文献２の除去方法は、水平カッターを利用して切断することで、騒音などを抑えることを可能としているものの、水平カッターの刃が届く範囲しか切断することができず、広範囲の施工には適していない。また、劣化したコンクリート構造物の補修を目的として、表層部（打ち継ぎ部分）を撤去する場合にも、同様な問題があった。
【０００８】
このような観点から、本発明は、騒音や振動の発生を抑えた状態で、広範囲にわたって床スラブや構造壁などのコンクリート部材の表面に固定された表層部を簡易に撤去することを可能とした表層部除去方法を提案することを課題とする。
【課題を解決するための手段】
【０００９】
前記課題を解決するために、本発明は、床スラブや構造壁などのコンクリート部材の表面にレベリング材やタイルの下地モルタルなどのセメント系材料を打ち継ぐことにより固定された表層部を撤去する表層部除去方法であって、前記表層部の表面から、前記コンクリート部材と前記表層部との境界面に至る注入孔を形成する削孔工程と、前記注入孔から前記境界面に酸性溶液からなる剥離剤を注入する注入工程と、前記表層部を前記コンクリート部材から撤去する撤去工程とを備えている。
【００１０】
かかる表層部除去方法によれば、注入工程において形成した注入孔から注入した剥離材によりコンクリート部材との界面において、剥離剤の酸性によりセメント系材料が溶解し、界面の付着力を弱めて浮いたような状態となり、これにより表層部が剥離した状態となるため、騒音や振動が生じ難い。そのため、近隣への影響を最小限に抑えた状態で、コンクリート部材の表面から表層部を撤去することができる。すなわち、コンクリート部材と表層部との界面において、セメント水和物（コンクリートやモルタル等）中のアルカリ分と注入孔から注入した酸性溶液とが中和反応により溶解するため、コンクリート部材の表面から表層部を剥離しやすくなる。
【００１１】
なお、前記剥離剤として、有機カルボン酸と増粘剤とを含む液体を使用すれば、所定の圧力で圧入することにより剥離材を面的に行きわたらせることが可能となり、剥離材が一定のルート（水みち）のみに流れることを防止することができる。また、剥離剤はｐＨ３〜５であるのが好ましく、より好ましくはｐＨ３〜３．５である。
【００１２】
また、前記撤去工程では、前記表層部にアンカーを設置した後、当該アンカーをチェーンブロック等で引き上げることにより、前記表層部を前記境界面から引き剥がせばよい。
また、前記撤去工程では、前記表層部をカッターにより切断して複数に分割してもよい。このとき、カッターで切断することにより形成された溝にバール等の工具を差し込んで表層部を引き剥がしてもよい。
【発明の効果】
【００１３】
本発明の表層部除去方法によれば、音や振動の発生を抑えた状態で、コンクリート部材の表面に固定された表層部を簡易に撤去することが可能である。
【図面の簡単な説明】
【００１４】
【図１】本発明の実施形態に係る床構造の一部を示す斜視図である。
【図２】本発明の実施形態に係る表層部除去方法の削孔工程を示す斜視図である。
【図３】本発明の実施形態に係る注入工程を示す断面図である。
【図４】本発明の実施形態に係る撤去工程においてアンカーを設置する状況を示す断面図である。
【図５】本発明の実施形態に係る撤去工程においてアンカーにより表層部を撤去する状況を示す断面図である。
【図６】本発明の実施形態に係る撤去工程においてバールにより表層部を撤去する状況を示す斜視図である。
【発明を実施するための形態】
【００１５】
本実施形態では、浴室のリフォームとして、既存のタイル３１（表層部３）を撤去する表層部除去方法について説明する。浴室の床１は、図１に示すように、コンクリート製の床版（コンクリート部材）２の表面（上面）が、仕上げ材としての複数のタイル３１によって覆われている。床版２とタイル３１との間には、接着層としてモルタル３２が介設されている。すなわち、床１の表層部３は、コンクリート部材である床版２の表面に打ち継がれたセメント系材料であるモルタル３２と、モルタル３２の表面を覆う複数のタイル３１により構成されている。タイル３１を撤去する際には、モルタル３２も同時に撤去して、床版２の表面を露出させる。
【００１６】
表層部除去方法は、削孔工程と、注入工程と、撤去工程とを備えている。
削孔工程は、図２に示すように、タイル３１の表面から、床版２と接着層（モルタル３２）との境界面（床版２の表面）に至る注入孔４を形成する工程である。注入孔４は、所定の間隔をあけて、複数形成するのが望ましい。注入孔４は、タイル３１を貫通するように形成するのが望ましいが、タイル３１同士の目地３３に形成してもよい。注入孔４の内径は限定されるものではないが、５ｍｍ〜２０ｍｍの範囲内とする。また、注入孔４の数および配置は限定されるものではなく、注入孔４を介して注入した剥離材が、界面全体に全面的に行きわたるように配置する。なお、注入孔４を形成するための削孔手段は限定されるものではなく、例えば、低振動ドリル、ハンマードリル、電動ドリルまたはコアドリル等を使用すればよい。なお、削孔工程後、注入孔４の削孔に伴い発生した切削屑を注入孔４の内外から除去するのが望ましい。
【００１７】
注入工程は、図３に示すように、注入孔４から床版２とモルタル３２（表層部３）との境界面に酸性溶液からなる剥離剤５を注入する工程である。剥離剤５は、注入ポンプＰを利用して、所定の圧力により圧入する。剥離剤５を圧入するための注入ポンプＰの形式は限定されるものではなく、例えば、足踏み式、手動式または電動式の物を使用すればよい。
【００１８】
剥離剤５には、ｐＨ３〜５、より好ましくはｐＨ３〜３．５の酸性溶液であって、有機カルボン酸と増粘剤との混合体を使用する。なお、有機カルボン酸の種類は限定されるものではなく、例えば、クエン酸、グルコン酸、酢酸、リンゴ酸等の一価または二価以上の有機カルボン酸を使用する。有機カルボン酸の飽和度は、各々の水への溶解度の４０〜1００％の範囲とし、望ましくは８０〜９０％の範囲とする。例えば、クエン酸の場合、水への溶解度が７３ｇ／１００ｇであるから、本発明の剥離剤として用いる場合には水１００ｇに対して５８〜６６ｇ程度を溶解させた溶液とすれば良い。また、増粘剤には、例えば、メチルセルロース、キサンタンガムまたはペクチン等の一般的な水溶液に対する増粘剤を使用すればよい。また、剥離剤５を構成する材料および配合は、酸性を示す溶液と増粘剤とを主成分として含んだ酸性溶液であれば、水等の他の調整液を含んでいてもよく、限定されるものではない。
【００１９】
剥離剤５は、粘度が５０ｍＰａ・ｓ  〜２０００ｍＰａ・ｓ程度  (サラダ油程度〜コンデンスミルク程度の粘度)の範囲内となるように調合されるが、望ましくは５００±１００ｍＰａ・ｓの範囲であることが望ましい。なお、剥離剤５の粘度は、限定されるものではないが、剥離剤５の粘度が５０ｍＰａ・ｓ未満だと、注入孔４から注入した剥離剤５が自然流下により一定のルートのみに流れて、全体に行きわたらなくなる。一方、剥離剤５の粘度が２０００ｍＰａ・ｓを超えると、粘度が高すぎて、注入孔４から圧入し難くなる。
【００２０】
注入孔４から剥離剤５を注入すると、床版２のコンクリートおよび接着層のモルタル３２のセメント水和物中のアルカリ分（Ca(OH)2）等と剥離剤５中の有機主カルボン酸とが酸塩基中和反応し、床版２とモルタル３２との界面の接合部分が溶解し、床版２とモルタル３２とが分離される。剥離剤５の注入は、全ての注入孔４に対して行い、床版２とモルタル３２とを全面的に分離するようにする。なお、剥離剤５の注入は、複数の注入孔４に対して同時に行ってもよいが、各注入孔４に対して壁面に近い最も端部の孔から順次隣の注入孔４へと順番に行っていくことが望ましい。
【００２１】
撤去工程は、表層部３を床版２から撤去する工程である。図４に示すように、撤去工程では、まず、カッターによりタイル３１およびモルタル３２を切断して（溝６を形成して）、床面を複数に分割する。次に、一つの注入孔４にアンカー７を差し込むとともに表層部３（モルタル３２）に当該アンカー７を固定（係止）する。そして、図５に示すように、アンカー７をチェーンブロック等の揚重装置等により上方に吊り上げることによりタイル３１およびモルタル３２を床版２から引き剥がす。床面からタイル３１およびモルタル３２の一部を引き剥がしたら、図６に示すように、タイル３１とモルタル３２を撤去することにより形成された凹部８を利用して、周囲のタイル３１およびモルタル３２を撤去する。すなわち、凹部８から床版２とモルタル３２との界面にバール等の先端が扁平な工具Ｔを差し込んで、テコの原理を利用して引き剥がす。このとき、床版２とモルタル３２は、剥離剤５により分離されているため、比較的小さい力で引き剥がすことができる。同様の作業を繰り返すことによりタイル３１およびモルタル３２を撤去して、床版２の表面全体を露出させることができる。
【００２２】
なお、タイル３１およびモルタル３２を引き剥がす方法は限定されるものではなく、例えば、カッターによりタイル３１およびモルタル３２を切削して溝６を形成した後、この溝６にバール等の工具Ｔを差し込んで引き剥がしてもよい。また、アンカー７による吊り上げ・引き剥がし作業を繰り返すことにより表層部３全体を撤去してもよい。また、アンカー７は、注入孔４とは別に形成したアンカー孔を利用して固定してもよい。また、表層部３は、必ずしも事前に分割しておく必要はない。また、タイル３１およびモルタル３２は、アンカー７に連結したジャッキ装置等を利用して押し上げることにより引き剥がしてもよい。
【００２３】
本実施形態の表層部除去方法によれば、剥離材により床版２とモルタル３２との界面において、セメント水和物を溶解させることで、モルタル３２を分離させるため、騒音や振動の発生を最小限に抑えることができる。すなわち、騒音や振動は、注入孔４の削孔時や、必要に応じてカッターにより切削した際に生じるのみのため、ブレーカーやチッパー等によりタイル３１を破砕する従来の除去方法に比べて、騒音や振動を大幅に低減できる。そのため、近隣への影響を最小限に抑えた状態で、床版２の表面からタイル３１を撤去することができる。
【００２４】
また、剥離剤５により床版２とモルタル３２とを分離しているため、小さい力によりタイル３１を除去することができる。そのため、人力により撤去することができ、狭い作業スペースであっても作業が可能である。また、注入孔４の削孔、剥離剤５の注入のみで、タイル３１を撤去できる状態となるため、作業性に優れている。そのため、広範囲にわたって作業を行う場合であっても、比較的短時間で作業を終了することができる。なお、剥離剤５は、撤去したモルタル３２とともに除去されるか、比較的短時間，すなわち１〜２時間程度で乾燥するため、残置させる部分（床版２）に対して悪影響を及ぼすことはない。
【００２５】
以上、本発明の実施形態について説明したが本発明は、前述の実施形態に限られず、前記の各構成要素については、本発明の趣旨を逸脱しない範囲で、適宜変更が可能である。
例えば、前記実施形態では、浴室のタイル３１を撤去する場合について説明したが、施工箇所および対象物は限定されるものではない。例えば、玄関等での床材の撤去等において表層部除去方法を採用してもよい。また、仕上げ材はタイル３１に限定されるものではない。また、表層部３はタイル３１に限定されるものではなく、コンクリート部材に打ち継がれたコンクリート等であってもよい。すなわち、コンクリート構造物の補修工事において、コールドジョイントの表面側のコンクリートを除去する場合に、本発明の表層部除去う方法を採用してもよい。
【００２６】
接着層を構成する材料はモルタル３２に限定されるものではなく、例えば、セメントペースト等のセメント系材料や、いわゆる目地材等の樹脂系材料であってもよい。
表層部３撤去後の床版２（コンクリート部材）の表面は、必要に応じて表面処理を行ってもよい。
【符号の説明】
【００２７】
１    床
２    床版（コンクリート部材）
３１  タイル（表層部）
３２  モルタル（表層部）
３３  目地
４    注入孔
５    剥離剤
６    溝
７    アンカー
８    凹部
Ｐ    注入ポンプ
Ｔ    工具
【図１】
2020125663.tif 000003
【図２】
2020125663.tif 000004
【図３】
2020125663.tif 000005
【図４】
2020125663.tif 000006
【図５】
2020125663.tif 000007
【図６】
2020125663.tif 000008